(57)【要約】ディスプレイアーム保持部３とディスプレイアーム４が取り付けられていない左耳用のヘッドホーン１には、表示部５に表示する映像を制御するためのスイッチ類６が設けられている。使用者は、左手で、これらのスイッチ類６を操作する。これらスイッチ類６が、ディスプレイアーム保持部３とディスプレイアーム４が取り付けられている右耳用のヘッドホーン１と反対側の左耳用のヘッドホーン１に取り付けられているので、操作の際に、手がディスプレイアーム保持部３やディスプレイアーム４に触れることが無く、よって、表示部５の位置が変わる可能性が少なくなる。
2007119351.tif 000002
【特許請求の範囲】
【請求項１】
２つのヘッドホーンと、前記２つのヘッドホーンを連結する連結部と、前記ヘッドホーンの一つに保持され、使用時において先端部が顔面と平行にされたディスプレイアームと、前記ディスプレイアームの先端部に取り付けられ、使用者の眼に映像を表示する表示部とを有するヘッドマウントディスプレイであって、前記連結部の、前記ディスプレイアームが取り付けられているヘッドホーンと反対の側、又は、前記ディスプレイアームが取り付けられているヘッドホーンと反対側のヘッドホーンに、前記表示部に表示される映像を操作するスイッチ類が設けられていることを特徴とするヘッドマウントディスプレイ。
【請求項２】
１つのヘッドホーンと、前記ヘッドホーンを片側に保持し、使用者の頭部に装着させる装着部と、前記ヘッドホーンに保持され、使用時において先端部が顔面と平行にされたディスプレイアームと、前記ディスプレイアームの先端部に取り付けられ、使用者の眼に映像を表示する表示部とを有するヘッドマウントディスプレイであって、前記装着部の、前記ヘッドホーンと反対の側に、前記表示部に表示される映像を操作するスイッチ類が設けられていることを特徴とするヘッドマウントディスプレイ。
【請求項３】
前記スイッチ類が設けられている場所が、前記装着部が使用者の頭部に当接する部分又はその近傍であることを特徴とする請求項２に記載のヘッドマウントディスプレイ。
【請求項４】
前記ディスプレイアームが取り付けられているヘッドホーン側に、映像操作にかかわらない電源スイッチを設けたことを特徴とする請求項１から請求項３のうちいずれか１項に記載のヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１号公報（特許文献１）に記載されている。【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。【０００４】
従来の片眼用ヘッドマウントディスプレイの中には、２つのヘッドホーンを連結部で連結すると共に、このヘッドホーンの一方にディスプレイアームを取り付け、ディスプレイアームの先端部に表示部を設けている例がある。このような、ヘッドマウントディスプレイの映像や音声を操作するスイッチ類は、一般には、頭部に装着されるヘッドマウントディスプレイ本体部とは別とされていることが多かった。【０００５】
しかしながら、そのような場合、スイッチ類を収納するボックスとヘッドマウントディスプレイ本体部との間に配線が必要となり、装置が複雑化するばかりでなく、その配線が引っ張られたりすると、ヘッドマウントディスプレイ本体部の姿勢が変わり、表示部が観察位置からずれて映像が見にくくなる等の問題点があった。【０００６】
一方、特表平９−５０４１０２号公報（特許文献２）には、ディスプレイアームが取り付けられている側のヘッドホーン部に、いくつかの操作スイッチ類を設けた例が示されている。
【特許文献１】ＷＯ２００４／０６１５１９Ａ１号公報
【特許文献２】特表平９−５０４１２０号公報
【発明の開示】
【発明が解決しようとする課題】
【０００７】
しかしながら、ディスプレイアームが取り付けられている側のヘッドホーン部に操作スイッチ類を設けると、これらの操作スイッチを操作するときに、使用者がディスプレイアームに触り、その結果、表示部の位置がずれるという問題点がある。【０００８】
本発明はこのような事情に鑑みてなされたもので、スイッチ類の操作時に、表示部の位置がずれにくいヘッドマウントディスプレイを提供することを課題とする。
【課題を解決するための手段】
【０００９】
前記課題を達成するための第１の手段は、２つのヘッドホーンと、前記２つのヘッドホーンを連結する連結部と、前記ヘッドホーンの一つに保持され、使用時において先端部が顔面と平行にされたディスプレイアームと、前記ディスプレイアームの先端部に取り付けられ、使用者の眼に映像を表示する表示部とを有するヘッドマウントディスプレイであって、前記連結部の、前記ディスプレイアームが取り付けられているヘッドホーンと反対の側、又は、前記ディスプレイアームが取り付けられているヘッドホーンと反対側のヘッドホーンに、前記表示部に表示される映像を操作するスイッチ類が設けられていることを特徴とするヘッドマウントディスプレイである。【００１０】
本手段においては、連結部の、ディスプレイアームが取り付けられているヘッドホーンと反対の側、又は、ディスプレイアームが取り付けられているヘッドホーンと反対側のヘッドホーンに、表示部に表示される映像を操作するスイッチ類が設けられているので、使用者がこれらのスイッチ類を操作するときに、ディスプレイアームに触ることが無く、又、ディスプレイアームが取り付けられているヘッドホーン部にも触ることがないので、スイッチ類の操作中に、表示部の位置がずれることが少なくなる。【００１１】
前記課題を解決するための第２の手段は、１つのヘッドホーンと、前記ヘッドホーンを片側に保持し、使用者の頭部に装着させる装着部と、前記ヘッドホーンに保持され、使用時において先端部が顔面と平行にされたディスプレイアームと、前記ディスプレイアームの先端部に取り付けられ、使用者の眼に映像を表示する表示部とを有するヘッドマウントディスプレイであって、前記装着部の、前記ヘッドホーンと反対の側に、前記表示部に表示される映像を操作するスイッチ類が設けられていることを特徴とするヘッドマウントディスプレイである。【００１２】
本手段は、ヘッドホーンを１つしか持たず、装着部によりこのヘッドホーンを含めた部分を頭部に装着するものであるが、装着部の、ヘッドホーンと反対の側に、表示部に表示される映像を操作するスイッチ類が設けられているので、使用者がこれらのスイッチ類を操作するときに、ディスプレイアームに触ることが無く、又、ディスプレイアームが取り付けられているヘッドホーン部にも触ることがないので、スイッチ類の操作中に、表示部の位置がずれることが少なくなる。【００１３】
前記課題を解決するための第３の手段は、前記第２の手段であって、前記スイッチ類が設けられている場所が、前記装着部が使用者の頭部に当接する部分又はその近傍であることを特徴とするものである。【００１４】
本手段においては、スイッチ類が、装着部が使用者の頭部に当接する部分又はその近傍に設けられているので、スイッチ類の操作により、装着部が動くことが少なくなり、その結果、スイッチ類の操作中に、表示部の位置がずれることが特に少なくなる。【００１５】
前記課題を解決するための第４の手段は、前記第１の手段から第３の手段のいずれかであって、前記ディスプレイアームが取り付けられているヘッドホーン側に、映像操作にかかわらない電源スイッチを設けたことを特徴とするものである。
【発明の効果】
【００１６】
本発明によれば、スイッチ類の操作時に、表示部の位置がずれにくいヘッドマウントディスプレイを提供することができる。
【図面の簡単な説明】
【００１７】
【図１】本発明の第１の実施の形態の例であるヘッドマウントディスプレイを頭部に装着した状態を示す概要図である。
【図２】本発明の第２の実施の形態の例であるヘッドマウントディスプレイを頭部に装着した状態を示す概要図である。
【図３】ディスプレイアーム保持部の下側に、ヘッドマウントディスプレイの電源のオン、オフを行う電源スイッチを設けた例を示す図である。
【図４】ヘッドマウントディスプレイを、頭部に装着した直後の状態を示す図である。
【符号の説明】
【００１８】
１…ヘッドホーン、２…連結部、３…ディスプレイアーム保持部、４…ディスプレイアーム、５…表示部、６…スイッチ類、７…装着部、８…クッション
【発明を実施するための最良の形態】
【００１９】
以下、本発明の実施の形態の例を、図を用いて説明する。図１は、本発明の第１の実施の形態の例であるヘッドマウントディスプレイを頭部に装着した状態を示す概要図である。２つのヘッドホーン１は、連結部２によって連結されている。連結部２は弾性を有し、連結部２を頭頂部からかぶって、耳の位置にヘッドホーン１をあてがうことにより、ヘッドホーン１が両側から耳を挟み込むような形で、ヘッドマウントディスプレイが装着される。【００２０】
右耳用のヘッドホーン１には、ディスプレイアーム保持部３が設けられ、ディスプレイアーム４が、ディスプレイアーム保持部３に対して装着時において頭部の前後に摺動可能に保持されている。又、ディスプレイアーム保持部３は、ヘッドホーン１に対して、装着時の上下方向に回動可能に取り付けられている。ディスプレイアーム４の先端部は、装着時において顔面と略平行となるように曲げられており、その先端部に、映像を表示する表示部５が取り付けられている。【００２１】
映像を見るときは、図１に示すような状態で、表示部５を眼前に位置させ、ディスプレイアーム４を前後させて、表示部５と眼との間隔を調整し、映像を観察する。映像を観察せず、単なるヘッドホーンとして使用するときは、ディスプレイアーム保持部３をヘッドホーン１の周りに回動させ、表示部５を頭頂部に位置させた状態で使用する。さらに、図１に示す状態から、ディスプレイアーム保持部３をヘッドホーン１の周りに１８０°回動させると、このヘッドマウントディスプレイを左目用のものとして使用可能である。【００２２】
ディスプレイアーム保持部３とディスプレイアーム４が取り付けられていない左耳用のヘッドホーン１には、表示部５に表示する映像を制御するためのスイッチ類６が設けられている。使用者は、左手で、これらのスイッチ類６を操作する。これらスイッチ類６が、ディスプレイアーム保持部３とディスプレイアーム４が取り付けられている右耳用のヘッドホーン１と反対側の左耳用のヘッドホーン１に取り付けられているので、操作の際に、手がディスプレイアーム保持部３やディスプレイアーム４に触れることが無く、よって、表示部５の位置が変わる可能性が少なくなる。【００２３】
スイッチ類６を取り付ける位置は、連結部２の、右側のヘッドホーン１と反対の側、すなわち、頭頂部より左側に位置するＡで示される部分としてもよい。このようにしても、スイッチ類６の操作は左手で行うので、ディスプレイアーム保持部３やディスプレイアーム４に手が接触する可能性は低くなる。スイッチ類６を連結部２に設ける場合には、特に、連結部２のヘッドホーンに近いＢ部に設けると、連結部２とヘッドホーンの固定部に近い位置にあるので、操作によりヘッドマウントディスプレイ全体が動く可能性が少なくなる。【００２４】
スイッチ類６のボタンは、その幾何中心点に対して、左右、上下とも対称な位置に配置されている。従って、例えばディスプレイアーム保持部３をヘッドホーン１の周りに１８０°回動させて、右目用を左目用に変更した場合でも、スイッチ類６のボタン配置は変わらず、使用者がスイッチ類の操作を誤ることが少なくなる。なお、この場合、各ボタンの機能を、左目用として使用する場合と右目用として使用する場合とで、左右、上下とも逆転するようにしておくことが好ましい。【００２５】
スイッチ類のうち、音声のみを制御するスイッチ類は、右側のヘッドホーン１や、連結部２のうち右側の半分に設けるようにしてもよい。ヘッドマウントディスプレイを単なるヘッドホーンとして使用する場合には、表示部５は使用していないので、少しくらい位置が変わっても問題ないからである。【００２６】
図２は、本発明の第２の実施の形態の例であるヘッドマウントディスプレイを頭部に装着した状態を示す概要図である。図２において、図１に示された構成要素と同じ構成要素には、同じ符号を付してその説明を省略することがある。この実施の形態においては、ヘッドホーン１が１つしかなく、装着部７の一端に取り付けられており、装着部７の他端には、クッション８が設けられて、頭部に接触するようになっている。装着部７は、弾性を有し、頭部に装着するときは、ヘッドホーン１とクッション８とで頭部を挟み込むようにして装着する。ディスプレイアーム保持部３、ディスプレイアーム４、表示部５については、図１に示されたものと同一である。【００２７】
この実施の形態においては、スイッチ類６は、装着部７が頭部に接触する部分であるクッション８の近傍に設けられている。使用者は、左手で、これらのスイッチ類６を操作する。これらスイッチ類６が、ディスプレイアーム保持部３とディスプレイアーム４が取り付けられている右耳用のヘッドホーン１と反対側の左側のクッション８の近傍に取り付けられているので、操作の際に、手がディスプレイアーム保持部３やディスプレイアーム４に触れることが無く、よって、表示部５の位置が変わる可能性が少なくなる。【００２８】
スイッチ類６を取り付ける位置は、装着部７の、のヘッドホーン１と反対の側、すなわち、頭頂部より左側に位置するＡで示される部分としてもよい。このようにしても、スイッチ類６の操作は左手で行うので、ディスプレイアーム保持部３やディスプレイアーム４に手が接触する可能性は低くなる。【００２９】
スイッチ類６のボタンは、その幾何中心点に対して、左右、上下とも対称な位置に配置されている。従って、例えばディスプレイアーム保持部３をヘッドホーン１の周りに１８０°回動させて、右目用を左目用に変更した場合でも、スイッチ類６のボタン配置は変わらず、使用者がスイッチ類の操作を誤ることが少なくなる。なお、この場合、各ボタンの機能を、左目用として使用する場合と右目用として使用する場合とで、左右、上下とも逆転するようにしておくことが好ましい。【００３０】
この場合も、スイッチ類のうち、音声のみを制御するスイッチ類は、ヘッドホーン１や、装着部７のうち右側の半分に設けるようにしてもよい。ヘッドマウントディスプレイを単なるヘッドホーンとして使用する場合には、表示部５は使用していないので、少しくらい位置が変わっても問題ないからである。【００３１】
なお、図３に示すようにディスプレイアーム保持部３の下側に、ヘッドマウントディスプレイの電源のオン、オフを行う電源スイッチ９を設けることも可能である。なおここでは図１に示した実施の形態の場合について述べているが、図２に示した実施の形態においても同様の構成が可能である。【００３２】
また、ヘッドマウントディスプレイを使用者が頭頂部に装着した直後、および頭頂部から取り外す直前の様子を図４に示す。ここで本装置の着脱の前後においては、図４に示すようにディスプレイアーム４は頭頂部にあり、着脱動作において表示部５が使用者の目に当接しないように操作することが望ましい。【００３３】
本発明におけるヘッドマウントディスプレイを、図４のように頭部に装着した後の好ましい動作は次のようになる。すなわち電源スイッチ９を操作して電源をオンにし、その後ディスプレイアーム４を手で回動して目の前まで下げる動作である。ここで電源スイッチ９とディスプレイアーム４を右側のディスプレイアーム保持部３に設けたので、上記一連の動作が右手で可能となっている。【００３４】
なお、電源がオンなってから、コンテンツが所定時間、例えば５秒後に自動的に再生されるようにすることで、左手でスイッチ類６を使用することなく、装置の装着ならびにコンテンツの視聴が右手の操作のみで行えるようにしてもよい。【００３５】
また、ヘッドマウントディスプレイの使用が終わった場合には、電源スイッチ９をオフにした後に、ディスプレイアーム４を手で頭頂部に回動させ、図４に示す状態とする。ここでも電源スイッチ９の操作とディスプレイアーム４の操作が右手で操作可能となり、使い勝手のよい装置となっている。【００３６】
ここで、電源スイッチ９がディスプレイアーム保持部３にあり、電源スイッチ９の操作によって装置全体の位置がずれることが想定される。しかしながら、電源スイッチ９を操作する時点では表示部５は目の前にないか、表示部５がずれたとしても右手でディスプレーアーム４を持って表示部５の位置をすぐに修正することが可能なために、使用上の問題が発生することはない。【００３７】
以上のように本実施の形態によれば、電源のオン・オフに関わる操作部材をディスプレイアームが設けられたヘッドホーン側に設けたので、ヘッドマウントディスプレイの着脱における一連の動作が一方の手で行え、使いやすく便利な構成となっている。また電源をオンにした後の動作においては、操作部材がディスプレイアームとは反対側のヘッドホーンに設けられているので、画像を見ながら操作部材を操作しても表示部５がずれることが無く、使いやすい構成となっている。
【図１】
2007119351.tif 000003
【図２】
2007119351.tif 000004
【図３】
2007119351.tif 000005
【図４】
2007119351.tif 000006
【国際調査報告】
2007119351.tif 000007
2007119351.tif 000008
2007119351.tif 000009